(57)【要約】      （修正有）【課題】結合切断装置を利用することにより、超音波によって縫い目付きピースを結合すると同時に、余計な縫い目を切断して、結合の幅が一致となり、作業効率を増加することが可能なシームレス帽子用作製装置を提供する。【解決手段】超音波金属ホイール２１と、超音波金属プラットフォーム２２と、送りゴムホイール２３と、送り金属ホイール２４と、を備える。超音波金属ホイール２１と送りゴムホイール２３は、互いに当接して同心するように設けられており、送りゴムホイール２３の底側に送り金属ホイール２４が設けられており、超音波金属ホイール２１の底側に超音波金属プラットフォーム２２が設けられている結合切断装置２０と、金属ホイールと、金属ホイールに押付けて回転するゴムホイールと、高温エアホースと、温度下げエアホースと、押えバンド巻きと、を備える押えバンド粘着装置と、を含む。【選択図】図２
0003191985.tif 000002
【実用新案登録請求の範囲】
【請求項１】
超音波金属ホイールと、超音波金属プラットフォームと、送りゴムホイールと、送り金属ホイールと、を備え、前記超音波金属ホイールと前記送りゴムホイールは、互いに当接して同心するように設けられており、前記送りゴムホイールの底側に前記送り金属ホイールが設けられており、前記超音波金属ホイールの底側に前記超音波金属プラットフォームが設けられており、前記超音波金属ホイールの円錐状を呈する周面の先端には、刃部と、プラットフォーム部と、が設けられており、前記プラットフォーム部は前記送りゴムホイールから遠ざかった側に設けられており、複数の縫い目付きピースの間は、前記超音波金属ホイールの前記プラットフォーム部による超音波によって溶接されて、縫い目付きピース結合線を形成する結合切断装置と、
金属ホイールと、前記金属ホイールに押付けて回転するゴムホイールと、高温エアホースと、温度下げエアホースと、押えバンド巻きと、を備え、前記高温エアホースと前記温度下げエアホースとの排気口は、前記金属ホイールと前記ゴムホイールの間に向いており、前記押えバンド巻きからの押えバンドは、加熱されて前記縫い目付きピース結合線に貼り付けられていて、前記縫い目付きピース結合線が押えられて結合する押えバンド粘着装置と、
を含むことを特徴とするシームレス帽子用作製装置。
【請求項２】
前記超音波金属プラットフォームは、円形の断面形状を有するロッドであり、そのセンターラインが前記超音波金属ホイールのセンターラインに垂直し、前記結合切断装置には、更に、圧力調整部材が設けられており、前記圧力調整部材により、切断の厚さによって適宜の圧力値に調整することが可能であり、前記縫い目付きピースを確実に切断することが可能であることを特徴とする、請求項１に記載のシームレス帽子用作製装置。
【請求項３】
前記高温エアホースは、その温度がほぼ２８０℃であり、布の材質によって温度を調整することが可能であり、その排気口が長方形を呈し、前記温度下げエアホースは、その排気口が円形を呈し、室温の空気を吹き出し、前記高温エアホースによる高温を下げることが可能であることを特徴とする、請求項１に記載のシームレス帽子用作製装置。
【考案の詳細な説明】
【技術分野】
【０００１】
本考案は、シームレス帽子用作製装置に関し、特に、結合切断装置を利用することにより、超音波によって縫い目付きピースを結合すると同時に、余計な縫い目を切断して、結合の幅が一致となり、作業効率を増加することが可能なシームレス帽子用作製装置に関するものである。
【背景技術】
【０００２】
従来のシームレス帽子用作製装置の実施方式は下記の通りである。
【０００３】
（１）まず、化学繊維で作製される布を用意して、特定の輪郭に切断して、加工しようとする縫い目付きピースの縫い目を重なる。次に、加工しようとする縫い目付きピースの縫い目を、縫い針及び糸により簡単に固定して、初級の縫合ポイントを接合のエッジに設ける。
【０００４】
そうすると、加工しようとする縫い目付きピースの縫い目を、縫い針及び糸により簡単に固定して、初級の縫合ポイントを接合のエッジに設けることが必要である欠点がある。
【０００５】
（２）縫い目付きピースの重なっている縫い目のエッジを熱によって溶接する。次に、余計な縫い目を切断する。
【０００６】
そうすると、切断の過程中に、余計な縫い目を多すぎに切断すると、溶接部分が破壊されて不良品になり、余計な縫い目を少なすぎに切断すると、押えバンドの貼付がスムーズにならない欠点がある。
【０００７】
（３）作製プロセスのステップが多いため、生産速度を速めることができない。
【考案の概要】
【考案が解決しようとする課題】
【０００８】
本考案の主な目的は、初級の縫合が必要なく、生産速度を速めることが可能であるシームレス帽子用作製装置を提供することにある。
【０００９】
本考案の次の目的は、結合切断装置を利用することにより、超音波によって縫い目付きピースを結合すると同時に、余計な縫い目を切断して、結合の幅が一致となるシームレス帽子用作製装置を提供することにある。
【００１０】
本考案の別の目的は、作製プロセスのステップを減少することが可能であるため、生産速度を速めることが可能であるシームレス帽子用作製装置を提供することにある。
【課題を解決するための手段】
【００１１】
本考案のシームレス帽子用作製装置によると、超音波金属ホイールと、超音波金属プラットフォームと、送りゴムホイールと、送り金属ホイールと、を備え、超音波金属ホイールと送りゴムホイールは、互いに当接して同心するように設けられており、送りゴムホイールの底側に送り金属ホイールが設けられており、超音波金属ホイールの底側に超音波金属プラットフォームが設けられており、超音波金属ホイールの円錐状を呈する周面の先端には、刃部と、プラットフォーム部と、が設けられており、プラットフォーム部は送りゴムホイールから遠ざかった側に設けられており、複数の縫い目付きピースの間は、超音波金属ホイールのプラットフォーム部による超音波によって溶接されて、縫い目付きピース結合線を形成する結合切断装置と、金属ホイールと、金属ホイールに押付けて回転するゴムホイールと、高温エアホースと、温度下げエアホースと、押えバンド巻きと、を備え、高温エアホースと温度下げエアホースとの排気口は、金属ホイールとゴムホイールの間に向いており、押えバンド巻きからの押えバンドは、加熱されて縫い目付きピース結合線に貼り付けられていて、縫い目付きピース結合線が押えられて結合する押えバンド粘着装置と、を含むことを特徴とする。
【００１２】
本考案のシームレス帽子用作製装置によると、超音波金属プラットフォームは、円形の断面形状を有するロッドであり、そのセンターラインが超音波金属ホイールのセンターラインに垂直し、結合切断装置には、更に、圧力調整部材が設けられており、圧力調整部材により、切断の厚さによって適宜の圧力値に調整することが可能であり、縫い目付きピースを確実に切断することが可能であることを特徴とする。
【００１３】
本考案のシームレス帽子用作製装置によると、高温エアホースは、その温度がほぼ２８０℃であり、布の材質によって温度を調整することが可能であり、その排気口が長方形を呈し、温度下げエアホースは、その排気口が円形を呈し、室温の空気を吹き出し、高温エアホースによる高温を下げることが可能であることを特徴とする。
【考案の効果】
【００１４】
本考案のシームレス帽子用作製装置によれば、次のような効果がある。
（１）初級の縫合が必要なく、生産速度を速めることが可能である。
【００１５】
（２）結合切断装置を利用することにより、超音波によって縫い目付きピースを結合すると同時に、余計な縫い目を切断して、結合の幅が一致となる。
【００１６】
（３）作製プロセスのステップを減少することが可能であるため、生産速度を速めることが可能である。
【図面の簡単な説明】
【００１７】
【図１】本考案の縫い目付きピースを示す図である。
【図２】本考案の結合切断装置を示す上面図である。
【図２Ａ】図２における超音波金属ホイールを示す拡大図である。
【図３】本考案の縫い目付きピースを結合して切断した状態を示す図である。
【図４】本考案の押えバンド粘着装置の動作を示す図である。
【図５】本考案の高温エアホース及び温度下げエアホースを示す斜視図である。
【図６】本考案のシームレス帽子の完成品を示す斜視図である。
【考案を実施するための最良の形態】
【００１８】
以下、本考案の実施の形態を図面に基づいて説明する。
図１を参照する。図１は本考案の縫い目付きピースを示す図である。本考案の実施例は、まず、超音波によって溶接可能な布を用意して、帽子を作製するために、当該布を適当の形状及び大きさに切断して、縫い目付きピース１０、１１・・・を形成する。
【００１９】
図２から図５を参照する。図２は本考案の結合切断装置を示す上面図であり、図２Ａは図２における超音波金属ホイールを示す拡大図であり、図３は本考案の縫い目付きピースを結合して切断した状態を示す図であり、図４は本考案の押えバンド粘着装置の動作を示す図であり、図５は本考案の高温エアホース及び温度下げエアホースを示す斜視図である。本考案の実施例は、結合切断装置２０と、押えバンド粘着装置３０と、を含む。
【００２０】
結合切断装置２０は、超音波金属ホイール２１と、超音波金属プラットフォーム２２と、送りゴムホイール２３と、送り金属ホイール２４と、を含む。超音波金属ホイール２１と送りゴムホイール２３は、互いに当接して同心するように設けられている。送りゴムホイール２３の底側に送り金属ホイール２４が設けられている。超音波金属ホイール２１の底側に超音波金属プラットフォーム２２が設けられている。超音波金属ホイール２１の円錐状を呈する周面の先端には、刃部２１１と、プラットフォーム部２１２と、が設けられている。プラットフォーム部２１２は、送りゴムホイール２３から遠ざかった側に設けられている。縫い目付きピース１０、１１の間は、超音波金属ホイール２１のプラットフォーム部２１２による超音波によって溶接されて、縫い目付きピース結合線５０を形成する。
【００２１】
押えバンド粘着装置３０は、金属ホイール３２と、金属ホイール３２に押付けて回転するゴムホイール３１と、高温エアホース３３と、温度下げエアホース３４と、押えバンド巻き４０と、を含む。高温エアホース３３と温度下げエアホース３４との排気口３３１、３４１は、金属ホイール３２とゴムホイール３１の間に向いている。押えバンド巻き４０からの押えバンドは、加熱されて縫い目付きピース結合線５０に貼り付けられていて、縫い目付きピース結合線５０が押えられて結合する。
【００２２】
図３に示すように、超音波金属ホイール２１のプラットフォーム部２１２は超音波によって縫い目付きピース１０、１１を結合すると同時に、超音波金属ホイール２１の刃部２１１により、余計な縫い目が切断されて、結合の幅が一致となる。
【００２３】
超音波金属プラットフォーム２２は、円形の断面形状を有するロッドであってもよい。超音波金属プラットフォーム２２のセンターラインは、超音波金属ホイール２１のセンターラインに垂直する。
【００２４】
結合切断装置２０には、更に、圧力調整部材が設けられている。前記圧力調整部材により、切断の厚さによって適宜の圧力値に調整することが可能であり、縫い目付きピースを確実に切断することが可能である。
【００２５】
本考案の実施例の作製プロセスは下記の通りである。
（１）超音波によって溶接可能な布を用意して、帽子を作製するために、必要な縫い目付きピース１０、１１を切断する。
【００２６】
（２）超音波金属ホイール２１のプラットフォーム部２１２は超音波によって縫い目付きピース１０、１１を結合して、縫い目付きピース結合線を形成すると同時に、超音波金属ホイール２１の刃部２１１により、余計な縫い目を切断されて、結合の幅が一致となる。
【００２７】
（３）押えバンドの裏面にホットメルトグルーが設けられているため、押えバンド粘着装置３０の高温エアホース３３により、当該押えバンドの裏面のホットメルトグルーに熱風を吹き付けて、金属ホイール３２とゴムホイール３１により当該押えバンドを押さえると、当該押えバンドが縫い目付きピースの結合位置に粘着して、帽子を作製することが可能である。
【００２８】
高温エアホース３３は、その温度がほぼ２８０℃であり、布の材質によって温度を調整することが可能であり、その排気口３３１が長方形を呈する。
【００２９】
温度下げエアホース３４は、図４及び図５に示すように、その排気口が円形を呈し、室温の空気を吹き出し、高温エアホース３３による高温を下げることが可能である。
【００３０】
図６を参照する。図６は本考案のシームレス帽子６０の完成品を示す斜視図である。シームレス帽子６０は、図２に示すように、結合切断装置２０により、若干の縫い目付きピース１０を結合して、余計な縫い目を切断した後、押えバンド７０によって粘着して、帽子エッジ８０を縫うと、シームレス帽子６０の作製を完成する。
【００３１】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３２】
本考案は、シームレスな帽子に適用することができる。
【符号の説明】
【００３３】
１０  縫い目付きピース
１１  縫い目付きピース
２０  結合切断装置
２１  超音波金属ホイール
２２  超音波金属プラットフォーム
２３  送りゴムホイール
２４  送り金属ホイール
３０  押えバンド粘着装置
３１  ゴムホイール
３２  金属ホイール
３３  高温エアホース
３４  温度下げエアホース
４０  押えバンド
５０  縫い目付きピース結合線
６０  シームレス帽子
７０  押えバンド
８０  帽子エッジ
２１１  刃部
２１２  プラットフォーム部
３３１  排気口
３４１  排気口
【図１】
0003191985.tif 000003
【図２】
0003191985.tif 000004
【図２Ａ】
0003191985.tif 000005
【図３】
0003191985.tif 000006
【図４】
0003191985.tif 000007
【図５】
0003191985.tif 000008
【図６】
0003191985.tif 000009